(57)【要約】  【課題】  動物忌避剤用包装体、特に鳥の忌避用として使用される忌避剤を収容するための包装体に関し、忌避剤による鳥等の忌避効果を奏するのみならず、他の作用によっても鳥等が所定箇所に接近するのを防止することができ、取り扱いが便利で、所定箇所への設置も容易に行うことのできる鳥等の動物忌避剤用包装体を提供することを課題とする。  【解決手段】  鳥等の動物忌避剤を収容することのできる包装体本体が、光を乱反射しうる素材で構成されていることを特徴とする。【選択図】  図１
0003108937.tif 000002
【実用新案登録請求の範囲】
【請求項１】
鳥等の動物用の忌避剤を収容することのできる包装体本体（１）が、光を乱反射しうる素材で構成されていることを特徴とする鳥等の動物忌避剤用包装体。
【請求項２】
包装体本体（１）が、ホログラムを具備して構成されている請求項１記載の鳥等の動物忌避剤用包装体。
【請求項３】
包装体本体（１）が、吊杆に吊り下げ可能に構成されている請求項１又は２記載の鳥等の動物忌避剤用包装体。
【請求項４】
包装体本体（１）の上部に吊下片（２）が延設され、該吊下片（２）に吊下用孔（４）が穿設されることによって、吊杆に吊り下げ可能に構成されている請求項３記載の鳥等の動物忌避剤用包装体。
【請求項５】
包装体本体（１）に収容される忌避剤の臭気成分を放散させる孔（３）が、前記包装体本体（１）に穿設されている請求項１乃至４のいずれかに記載の鳥等の動物忌避剤用包装体。
【考案の詳細な説明】
【技術分野】
【０００１】
本考案は、動物忌避剤用包装体、特に鳥の忌避用として使用される忌避剤を収容するための包装体に関する。
【背景技術】
【０００２】
一般に、田畑等においては、鳥類による被害があることから、鳥が接近するのを防止するための用具が従来から用いられており、たとえば大きな目を描いたようなデザインを施した円形の空気袋を、風等で揺動しうるように田畑に設置するような手段が講じられている。しかし、このような手段は一時的なものであり、鳥類が慣れることで効果が徐々に喪失するおそれがある。
【０００３】
一方、ゴミ袋を一括して設置するような住宅地のゴミステーション等においては、鳥類、特にカラスがゴミ袋を破砕して生ゴミを荒らす被害が問題となっている。このような被害を防止するため、一般にはネットを被せる等の対策が講じられているが、最近では被害防止の実効を図るため、鳥用の忌避剤も開発されている。そしてこのような鳥用の忌避剤は、ゴミ袋を破砕防止のみならず、上記のような田畑においても利用されることが望まれる。
【０００４】
しかしながら、このような忌避剤は、液状のものであれば取り扱いが煩雑であり、また取り扱いを容易にするために固形やゲル等の有形状に成形したとしても、そのままの状態では、ゴミステーションや田畑等の所定箇所に設置するのは必ずしも容易ではない。
【考案の開示】
【考案が解決しようとする課題】
【０００５】
本考案は、このような問題点を解決するためになされたもので、忌避剤による鳥等の忌避効果を奏するのみならず、他の作用によっても鳥等が所定箇所に接近するのを防止することができ、取り扱いが便利で、所定箇所への設置も容易に行うことのできる鳥等の動物忌避剤用包装体を提供することを課題とする。
【課題を解決するための手段】
【０００６】
本考案は、このような課題を解決するためになされたもので、請求項１記載の考案は、鳥等の動物忌避剤を収容することのできる包装体本体１が、光を乱反射しうる素材で構成されていることを特徴とする。
【０００７】
また、請求項２記載の考案は、請求項１記載の鳥等の動物忌避剤用包装体において、包装体本体１が、ホログラムを具備して構成されていることを特徴とする。さらに、請求項３記載の考案は、請求項１又は２記載の鳥等の動物忌避剤用包装体において、包装体本体１が、吊杆に吊り下げ可能に構成されていることを特徴とする。
【０００８】
さらに、請求項４記載の考案は、請求項３記載の鳥等の動物忌避剤用包装体において、包装体本体１の上部に吊下片２が延設され、該吊下片２に吊下用孔４が穿設されることによって、吊杆に吊り下げ可能に構成されていることを特徴とする。さらに、請求項５記載の考案は、請求項１乃至４のいずれかに記載の動物忌避剤用包装体において、包装体本体１に収容される忌避剤の臭気成分を放散させる孔３が、前記包装体本体１に穿設されていることを特徴とする。
【考案の効果】
【０００９】
本考案は、上述のように鳥等の動物忌避剤を収容することのできる包装体本体が、光を乱反射しうる素材で構成されているので、このような鳥等の動物忌避剤用包装体を、ゴミステーションや田畑等の所定箇所に設置することで、忌避剤による忌避効果と、光の乱反射による威嚇効果との相乗効果により、従来に比べて鳥等の接近防止効果を著しく向上させることができる。
【００１０】
特に、包装体本体がホログラムを具備して構成されている場合には、光の乱反射による威嚇効果がより良好となる。
【００１１】
さらに包装体本体が、吊杆に吊り下げられて揺動可能に構成されている場合は、包装体本体が揺動することで、包装体本体が角度を変化させつつ光を乱反射させることになるので、威嚇効果が一層向上することとなる。
【００１２】
さらに、包装体本体に収容される忌避剤の臭気成分を放散させる孔が、包装体本体に穿設されている場合には、忌避剤の臭気成分を好適に放散させることができる。
【考案を実施するための最良の形態】
【００１３】
以下、本考案の実施形態について説明する。
【００１４】
本実施形態の鳥の忌避剤用包装体は、図１乃至図４に示すように、全体が略直方体からなる紙製箱形の包装体本体１を具備しており、その包装体本体１の上部に長方形状の吊下片２が延設されている。そして、包装体本体１及び吊下片２の全体がホログラムを具備して構成されている。
【００１５】
また包装体本体１の正面側２箇所及び一方の側面側１箇所には、長円形状の孔３が穿設されている。さらに吊下片２の略中央には、吊杆に吊り下げるための吊下用孔４が穿設されている。
【００１６】
そして、このような構成からなる鳥の忌避剤用包装体を使用する場合には、箱形の包装体本体１を開けて、図５の２点鎖線で示すように固形状やゲル状等の忌避剤５を包装体本体１内に収容し、たとえば田畑等に設置されている棒状物や線状物を吊杆とし、その棒状物等に吊下用孔４を挿通させることで、忌避剤用包装体を吊り下げた状態で設置することができる。
【００１７】
この場合において、包装体本体１内には忌避剤が収容され、且つ包装体本体１の正面側２箇所及び一方の側面側１箇所に孔３が穿設されているため、包装体本体１内に収容された忌避剤５から発散される臭気成分が前記包装体本体１の計３箇所の孔３から放出され、これによって忌避剤による忌避効果が発揮される。
【００１８】
また包装体本体１及び吊下片２の全体がホログラムを具備して構成され、且つ吊下用孔４に棒状物等が挿通されて包装体本体１が吊り下げられているため、風が吹くこと等によって包装体本体１が揺動し、しかも包装体本体１に具備されたホログラムにより太陽光等が乱反射するので、優れた鳥の威嚇効果が生じることになる。
【００１９】
このように、本実施形態では、忌避剤による忌避効果と、ホログラムによる乱反射及び包装体本体１の揺動との相乗効果によって、田畑等に鳥が接近するのを防止することが可能となった。
【００２０】
尚、上記実施形態では、包装体本体１が略直方体からなる箱形に形成されていたが、包装体本体１の形状は該実施形態に限定されるものではなく、たとえば球形や三角柱等の形状であってもよく、その形状は問わない。また包装体本体１の材質も該実施形態の紙に限らず、たとえば合成樹脂等のものであってもよい。
【００２１】
さらに上記実施形態では、忌避剤５から臭気成分を発散させるために包装体本体１に形成された孔３が長円形状に形成されていたが、この孔３の形状も該実施形態に限定されるものではなく、たとえば円形状、四角形、三角形状のような形状であってもよく、その形状は問わない。また孔に限らず、細長いスリットのようなものであってもよい。
【００２２】
また上記実施形態では、包装体本体１を吊り下げる手段として、包装体本体１の上部に吊下片２を延設し、該吊下片２に吊下用孔４を穿設する構成を採用したが、包装体本体１を吊り下げる手段はこれに限定されるものではない。従って、上記のような吊下片２を形成することも本考案に必須の条件ではない。
【００２３】
さらに上記実施形態では、包装体本体１にホログラムを具備させることで光を乱反射する構成としたが、光を乱反射させる手段は該実施形態のホログラムに限定されるものではない。
【００２４】
さらに上記実施形態では、包装体を田畑に設置する場合について説明したが、包装体を設置する場所は田畑に限定されるものではなく、たとえばゴミステーションのような場所であってもい。
【００２５】
尚、本考案は、鳥の忌避用に使用することを主眼とするものであるが、鳥以外の動物の忌避用に使用することも可能である。
【産業上の利用可能性】
【００２６】
本考案は、鳥忌避用の忌避剤、その他の動物忌避用の忌避剤を包装するための包装体に広く適用することができる。
【図面の簡単な説明】
【００２７】
【図１】一実施形態としての鳥の忌避剤用包装体の正面図。
【図２】同側面図。
【図３】同反対方向から見た状態の側面図。
【図４】図１のＡ−Ａ線断面図。
【図５】忌避剤を収容した状態の断面図。
【符号の説明】
【００２８】
１…包装体本体              ２…吊下片  
３…孔                      ４…吊下用孔
５…忌避剤
【図１】
0003108937.tif 000003
【図２】
0003108937.tif 000004
【図３】
0003108937.tif 000005
【図４】
0003108937.tif 000006
【図５】
0003108937.tif 000007
【手続補正書】
【提出日】平成17年1月18日(2005.1.18)
【手続補正１】
【補正対象書類名】実用新案登録請求の範囲
【補正対象項目名】全文
【補正方法】変更
【補正の内容】
【実用新案登録請求の範囲】
【請求項１】
鳥等の動物用の忌避剤を収容することのできる包装体本体（１）が、光を乱反射しうる素材で構成され、且つ該包装体本体（１）が、吊杆に吊り下げ可能に構成されていることを特徴とする鳥等の動物忌避剤用包装体。
【請求項２】
包装体本体（１）が、ホログラムを具備して構成されている請求項１記載の鳥等の動物忌避剤用包装体。
【請求項３】
包装体本体（１）の上部に吊下片（２）が延設され、該吊下片（２）に吊下用孔（４）が穿設されることによって、吊杆に吊り下げ可能に構成されている請求項２記載の鳥等の動物忌避剤用包装体。
【請求項４】
包装体本体（１）に収容される忌避剤の臭気成分を放散させる孔（３）が、前記包装体本体（１）に穿設されている請求項１乃至３のいずれかに記載の鳥等の動物忌避剤用包装体。
【手続補正２】
【補正対象書類名】明細書
【補正対象項目名】０００６
【補正方法】変更
【補正の内容】
【０００６】
本考案は、このような課題を解決するためになされたもので、請求項１記載の考案は、鳥等の動物忌避剤を収容することのできる包装体本体１が、光を乱反射しうる素材で構成され、且つ該包装体本体（１）が、吊杆に吊り下げ可能に構成されていることを特徴とする。
【手続補正３】
【補正対象書類名】明細書
【補正対象項目名】０００７
【補正方法】変更
【補正の内容】
【０００７】
また、請求項２記載の考案は、請求項１記載の鳥等の動物忌避剤用包装体において、包装体本体１が、ホログラムを具備して構成されていることを特徴とする。
【手続補正４】
【補正対象書類名】明細書
【補正対象項目名】０００８
【補正方法】変更
【補正の内容】
【０００８】
さらに、請求項３記載の考案は、請求項２記載の鳥等の動物忌避剤用包装体において、包装体本体１の上部に吊下片２が延設され、該吊下片２に吊下用孔４が穿設されることによって、吊杆に吊り下げ可能に構成されていることを特徴とする。さらに、請求項４記載の考案は、請求項１乃至３のいずれかに記載の動物忌避剤用包装体において、包装体本体１に収容される忌避剤の臭気成分を放散させる孔３が、前記包装体本体１に穿設されていることを特徴とする。